(57)【要約】  装飾具に対する取付手段を有していないつけ爪に対して、着脱自在に取り付ける取付手段を備えるつけ爪装飾具であって、ペンダントを通す為の取付部材および／またはブローチ、イヤリングなどの身体へ装着させるための宝飾部材を有する宝飾品装飾具【課題】  本発明の課題は、つけ爪を加工して取付手段を設けることなく、つけ爪を着脱自在に取り付けることができる取付部材を備える、ペンダントトップなどの装飾具やブローチなどの装身具を提供することである。【解決手段】  概略「∩」字形状の装飾具の斜視図である。つけ爪の下の方に装飾具がなく開放されている。ネイルアート５２が施された一般的なつけ爪１０に対して、つけ爪１０の側面に当接する装飾具２０の内周に概略「く」「（ 」「［ 」字形に凹んだ案内溝２１や挟持部３０１を有し、案内溝２１に導かれて矢印方向にスライド挿入することでつけ爪１０を着脱させる概略「∩」字形状の装飾具２０を示している。【選択図】図１
2005288053.tif 000002
【特許請求の範囲】
【請求項１】
ネイルアートの技法および／またはネイルアートに使用される材料を用いてデザインが表現されたチップ状部材を着脱自在に取付けることができる宝飾品装飾具であって、
装飾具に対する取付手段を有していないネイルアートを施すことを目的としたチップ状の部材および／またはネイルアートが施されたチップ状の部材を着脱自在に取り付ける手段を備える装飾具であって、
ペンダント、携帯ストラップなどを通す為の装飾具用宝飾部材および／またはブローチ、イヤリングなどの身体へ装着させるための装身具用宝飾部材を備える装飾具。
【請求項２】
請求項１に記載のネイルアート装飾具であって、
前記チップ状の部材がつけ爪である装飾具。
【請求項３】
装飾具が概略「□」「０」字形の周形状および／または概略「∩」字形をなし、前記チップ状の部材の側面のカーブに沿った容易にスライド挿入させるための案内溝機能と、
前記チップ状の部材の上側面と下側面および／または右側面と左側面および／または表面と裏面を挟持するための前記案内溝機能を持った受け縁を備えており、
前記チップ状の部材に当接する部分の前記案内溝の断面が前記つけ爪に対して内側向きに概略「く」「（ 」「［ 」字形をなしている前記装飾具であって、
請求項１〜２に記載の装飾具。
【請求項４】
前期装飾具が概略「□」「０」字形の周形状をなし、
前期チップ状部材の表面の一部を露出させる開口を有し、
前期装飾具の内部に前期チップ状部材の脱落を防止するための鴨居部と敷居部を有した装飾具であって、
前記チップ状の部材に当接する部分の前記鴨居部と敷居部の断面が前記つけ爪に対して内側向きに概略「く」「（ 」「［ 」字形をなしている前記装飾具であって、
請求項１〜２に記載の装飾具。
【請求項５】
前記チップ状の部材を挟み込むための二つ以上の挟持部を介して前記チップ状の部材の上側面と下側面および／または右側面と左側面および／または表面と裏面を挟み込み一体となる前記装飾具であって、
その前記宝飾部材の個々が、前記チップ状の部材に対して内側向きに「く」「（ 」「［ 」字形に凹んだ挟持機能の一方を果たす挟持片であって、
請求項１〜２に記載の装飾具。
【請求項６】
前期チップ状の部材がつけ爪であって、
前記つけ爪に当接する部分の前記案内溝の断面が前記つけ爪に対して内側向きに概略「く」「（ 」「［ 」字形なしている前記装飾具であって、
装飾具本体に有するバネ部材および／または装飾具本体および／またはつけ爪の弾力性を用いてつけ爪を装飾具に固定する前記装飾具であって、
請求項２に記載の装飾具。
【請求項７】
前記装飾具の少なくとも表面が、前記チップ状の部材と前記装飾具を貼り合わせる為のネイルアートで用いられる接着部材を介して物理的に固定可能な一部または一面がフィットする前記チップ状の部材と同じ概略「∩」の上下左右凸形状の表面を有する
請求項１〜２に記載の装飾具。
【発明の詳細な説明】
【技術分野】
【０００１】
本発明は、宝飾品装飾具および装身具に関し、ネイリストによりネイルアートが施されたチップ状の部材および／またはつけ爪、予めネイルアートのデザインがプリントされたチップ状の部材および／またはつけ爪、ネイルアートのシールが貼られたチップ状の部材および／またはつけ爪、ネイルアートを施すために予め何のデザインも施されていないチップ状の部材および／またはつけ爪を装飾の一部として用いて意匠性を高める装飾具を対象としている。
【背景技術】
【０００２】
高価な宝飾品として用いられている絵画的アートとしては七宝焼きがあり、ネイルアート技法は導入されていない。一方、安価なアクセサリーとしては、ネイルアートされたつけ爪を用いたペンダントやピアスなどが既存するが、アクセサリー本体につけ爪を装着するための取付手段を持たず、つけ爪自体にフィニッシャー（ドリルの付いたニードルのようなもの）などで穴を開けて丸カン、バチカンを介して紐やチェーンでぶら下げているため、高級感がまったくなく、中高生のファッショングッズになってしまっている。
【発明の開示】
【発明が解決しようとする課題】
【０００３】
本発明の課題は、宝飾品用装飾具および装身具が現在抱えている問題の一つとしてのデザインの頭打ちに対して、その問題を打開する手段として、ネイルアートのアート表現、技法、材料、発想を利用することで、従来の立体的表現や色表現の制約から開放され、異素材を組み合わせることにより様々な表現方法が実現できる。
また、ネイルアートの普及により増大したネイルアートをファッションとして楽しむ女性に新しいファッションアイテムを提供することができる。
【０００４】
しかし、つけ爪の形状に平面部分が無いため、既製の装飾具では固定することが困難であり、手っ取り早くつけ爪自体にフィニッシャー（ドリルの付いたニードルのようなもの）などで穴を開け、丸カンなどを介してチェーンや紐を通しているのが現状である。これはアクセサリー本体につけ爪を装着するための取付手段を備えていないからである。
【０００５】
ネイルアートの意匠レベルは近年芸術レベルにまで高まっており、七宝焼きにも引けを取らないところまできている。
本発明の課題は、つけ爪を加工することで取付手段を設けるのではなく、つけ爪を着脱自在に取り付けることができる取付部材を備えるペンダントトップなどの装飾具やブローチなどの装身具を提供することである。
【課題を解決するための手段】
【０００６】
装飾具に対する取付手段を有していないつけ爪に対して、着脱自在に取り付ける取付手段を備えるつけ爪装飾具であって、ペンダントを通す為の取付部材および／またはブローチ、イヤリングなどの身体へ装着させるための宝飾部材を有する宝飾品装飾具を提供することである。
【０００７】
〔チップ状の部材〕
ネイルアートを施されたまたは／および施すことを目的とした部材またはつけ爪であり、ネイルアートを施すために表面がつるつるで細かな凸凹がない凹面状、凸面状、平面状のチップ、つけ爪（ネイルチップ）が適用できる。
【０００８】
材質としては金属、合成樹脂、セラミック、ガラス、アクリル、その他の装飾材料が使用できる。金属として金や白金、シルバー、アルミ、ステンレス、真鍮、その他合金などが挙げられる。合成樹脂として塩化ビニル、ナイロン、ポリエステル、ポリエチレン、ポリプロピレン、ポリ塩化ビニル、シリコン、アクリル、ポリウレタン、スチレン、ポリカーボネート、エポキシ、ＡＢＳなどが挙げられる。一般的につけ爪はＡＢＳ、エポキシなどの合成樹脂でできている。
【０００９】
以下の説明は、チップ状の部材の具体例として形状が複雑なつけ爪について説明する。但し、つけ爪以外のチップ状部材についても適用できる技術事項についてはつけ爪以外のチップ状の部材にも共通する説明となる。
【００１０】
〔つけ爪〕
装飾具に対しての取付手段を有していないつけ爪であり、ネイリストによりネイルアートが施したもの、予めつけ爪にネイルアートのデザインがプリントされたもの、シールが貼られたもの、ネイルアートを施すために予め何のデザインも施されていないものなど指の爪に貼るつけ爪すべてが対象となる。またつけ爪目的で製造されたチップであればすべてが対象となる。
【００１１】
〔チップ状部材および／またはつけ爪に使用するネイルアート技法〕
絵の具は、アクリル絵の具が一般的に使用されている。アクリル絵の具は、近所の画材屋でも簡単に手に入り、発色がよく、色を重ねてもにじまないのでネイルアートに最適である。
ネイルアートの技法としては、ベースコートコーティング、トップコートコーティング、ウォーターマーブル技法、エアブラシ技法、スリーディーアート技法、クリアネイル技法、ビーズ技法、テクスチュアジェル技法、押し花技法、ラインテープ技法などがあり、意匠に応じて単独あるいは複合して使用する。
【００１２】
〔つけ爪宝飾品装飾具に施されるネイルアートの材料〕
ネイルアートの材料としては、一般的にネイリストがつけ爪に施すネイルアートの材料が適用できる。具体的にはトップコート、セラミックコート、マニキュア、アクリル絵の具、アクリルパウダー、アクリルコート、スパンコール、グリッター、リキッド、ラインストーン、ステンシル、ラメ、押し花、ドライフラワー、ラインテープ、ビーズ、テクスチュア、宝石、擬似宝石などを単独で使用したり、複数併用することができる。
【００１３】
〔装飾具〕
装飾具に対する取付手段を有していないネイルアートを施すことを目的としたチップ状の部材および／またはネイルアートが施されたチップ状の部材を着脱自在に取り付ける取付手段を備えるペンダントトップや携帯ストラップなどの宝飾品装飾具、ブローチ、ピアス、イヤリング、ネクタイピンなどの宝飾品装身具の本体部である。
装飾具には宝飾品装飾具や宝飾品装身具としての機能を果たすための宝飾部材を備えている。
装飾具の具体的形状は、つけ爪の寸法あるいは外形に合わせて、意匠性あるいは保護性を果たせるように設定される。
【００１４】
装飾具は、概略「□」「０」字形の周形状の裏側に案内溝を兼ねた概略「Ｕ」字形などの挟持用および／または脱落防止用の受け縁を設けることでつけ爪を固定してもよいし、取付手段を有した部材を介してつけ爪の表裏を挟み込む二層構造になっていてもよいし、つけ爪の内側向きに「く」「（ ）「［ ］字形に凹んだ２点以上挟持部を有し、取付手段を有した部材を介してつけ爪の側面を挟み込む構造であってもよいし、つけ爪の内側向きに「く」「（ 」「［ 」字形に凹んだ２点以上挟持部を有した概略「∩」字形一体型や少なくとも表面が、つけ爪と装飾具を貼り合わせる為の接着部材を介して物理的に固定可能な一部または一面がフィットするつけ爪の裏面と同じ概略「∩」字形の凸形状の面を有する装飾具であってもよい。
【００１５】
開口はつけ爪の出来るだけ広い範囲を見せることができるような寸法形状のものが好ましい。開口の形状は一般的には四隅にアールがついた長方形であるが、ハート形やクローバー形、円形、楕円形、多角形などの各種形状を採用することもできる。
装飾具は、つけ爪全体を覆ってもよいし、宝石の上面や側面の一部が露出する切り欠きや溝、孔、スリットなどを備えてもよい。切り欠きなどを設けて宝石に対して上面だけでなく側面、底面からも光が入るようにすることで、宝石内部での光の複雑な反射や屈折による輝きを示すことができる。
【００１６】
装飾具の外形は意匠性などを考慮して自由に設計でき、例えば、円盤状、多角形状、円錐状、角錐状、その他の幾何学図形状をなすものが採用できる。表面に凹凸を形成したり、装飾模様を彫り込んだりしたりすることもできる。
塗装、凹凸による模様として、文字、数字、記号、デザイン、絵などを形成することができる。
また受け縁の形状はプレート状や爪状でつけ爪の裏を覆い隠してもよいし、つけ爪の裏面の一部を露出させる開口を設けて光が入るようにしてもよい。
【００１７】
〔装飾具の材料〕
装飾具の材料は、つけ爪を固定できる機械的強度を有していれば、金属、合成樹脂、セラミック、ガラス、その他の装飾材料が使用できる。金属として金や白金、シルバー、アルミ、ステンレス、真鍮、その他合金などが挙げられる。合成樹脂として塩化ビニル、ナイロン、ポリエステル、ポリエチレン、ポリプロピレン、ポリ塩化ビニル、シリコン、アクリル、ポリウレタン、スチレン、ポリカーボネート、エポキシ、ＡＢＳなどが挙げられる。装飾具を弾性のある合成ゴムなどで構成することもできる。ネイルアートの３Ｄ造形やスカルプチュアに使用される材料を使用することができる。
【００１８】
装飾具の表面に対して、全面あるいは一部の表面に、ロジュームメッキや金メッキなどのメッキを施したり、真空蒸着などで薄膜を形成したり、セラミックなどで塗装、コーティングを施したりすることができる。
エナメル材料を塗布し焼き付けてホウロウあるいは七宝状の仕上げを施すこともできる。
【００１９】
装飾具に小さな宝石やガラスなどを埋め込むこともできる。装飾具の一部または全体が透明であってもよい。また装飾具にネイルアートに使用されている技法を用いたり、ネイルアートに使用される材料を使用することができる。 
装飾具の案内溝や内側に、装飾具とつけ爪と接触したときにつけ爪を傷つけるのを防止する目的や固定しガタツキをなくす目的で緩衝性あるいは柔軟性のある塗料の塗布膜や合成樹脂フィルムや弾性部材などからなる保護層を設けておくことができる。
【００２０】
〔取付手段〕
つけ爪を装飾具に対して着脱自在に取り付けておくことができれば、通常の装飾具や機械装置などにおける部材の取付手段が適用できる。
取付手段は、装飾具本体とは別の部材で構成してもよいし、装飾具そのものに取付手段となる形状や構造を形成しておいてもよい。
【００２１】
具体的には突起や穴、溝などの凹凸による嵌合係止構造を、装飾具と装飾具を取り付ける構造部分の何れか一方あるいは両方に設けておくことができる。ねじやピン、爪片などの、装飾具とは別の固定具を利用することができる。バネなどの付勢手段を用いた弾力的な係止構造も採用できる。マグネットを用いて磁力による固定も可能である。他に蝶番、スライド蝶番、バネ、板バネ、ピンバネ、バネ式ストッパー、ワッシャー、ビス止め、テッポー、ステー、引き輪、ダルマかん、丸かん、クリップ、紐、チェーン、絡合テープ、フック、ホック、さし込み、スターツ、セーフティーなども利用できる。また、一般的なつけ爪はＡＢＳ、エポキシなどの合成樹脂を素材とする薄い「∩」爪状で軽量なため、つけ爪自体を装飾具に留めるための取付手段としてつけ爪にひびが入らない程度につけ爪自体の弾力性、柔軟性を利用できる。また装飾具とつけ爪の間で発生する摩擦力も利用できる。
【００２２】
また通常ネイルアートで用いられているの接着部材を使用できる。具体的にはネイルアートでは爪につけ爪を固定する場合はグルーやスティッキーゲルという接着材や両面テープを使用する。指の爪につけ爪を貼り付けるときの最もポピュラーなネイルアート手法である。
【００２３】
ただし、この宝飾具を使用する女性は爪を傷めることを嫌がることから、爪で引っかけたりしないでもすむような工夫が望まれる。またチップを着脱させるのにネジ回しなどの小道具を使用しないでもすむ係止構造を採用するのが望ましい。また、つけ爪に掛かる負担を軽減するためにも装飾具にバネ機能を有していることが望ましい。
【００２４】
〔宝飾部材〕
ペンダントトップならばペンダントに吊るすためにペンダントを通すためのバチカンなどであり、ブローチならば服や帽子に留めるためのブローチピン、テッポウ、キャッチなどでありピアスならば耳にピアスを通すための針金などの宝飾品装飾具がおのおの備えておかなければいけない機能を果たすパーツが該当する。
ペンダントを通すためのバチカンなどの環状部材は表側装飾具でも裏側装飾具に付いていても、重ね合せたときに環状部材になってもよい。
【００２５】
〔宝飾品〕
宝石あるいは宝飾品の具体例としては、ダイアモンド、キュービックジルコニアやサモアナイトなどの擬似ダイアモンド、アイオライト、アクアマリン、アパタイト、アベンチュリン、アメシスト、インカローズ、エメラルド、オパール、オニキス、ガーネット、カルセドニー、キャッツアイ、クリソプレーズ、クンツファイト、サファイア、サンゴ、シトリン、試金石、白蝶貝、真珠、水晶、スピネル、タンザナイト、トパーズ、トラル、トルコ石、トルマリン、ヘマタイト、ペリドット、マラカイト、ミラーボール、ムーンストーン、めのう、ロードナイト、ローズクォーツ、ルビー、ラピスラズリなどや、これらの合成石、擬似宝石が含まれる。
【００２６】
〔バネ機能〕
装飾具および／または取付手段の全体または一部をバネまたは板バネ部材で構成することができる。バネ部材は、弾力的な変形性および復元性を有する材料である。つけ爪や装飾具に当接したときに、相手の材料を傷つけない柔軟性のある材料が好ましい。
【００２７】
素材例としてプラチナ、ゴールド、シルバー、アルミ、ステンレス、真鍮などの金属および／またはそれら金属の合金が挙げられる。合成樹脂としては塩化ビニル、ナイロン、ポリエステル、ポリエチレン、ポリプロピレン、ポリ塩化ビニル、シリコン、アクリル、ポリウレタン、スチレン、ポリカーボネート、エポキシ、ＡＢＳなどが挙げられる。バネ部材を弾性のある合成ゴムで構成することもできる。
バネ部材の表面に対して、全面あるいは一部の表面に、ロジュームメッキや金メッキなどのメッキを施したり、真空蒸着などで薄膜を形成したり、塗装、コーティングを施したりすることができる。
【００２８】
バネ部材の装飾具に対する固定の方法として、装飾具に一体化されたバネ部材だけでつけ爪を挟持する方法やバネと装飾枠とでつけ爪を固定する方法が採用できる。また、つけ爪はＡＢＳなどの合成樹脂を素材とする薄い「∩」爪状になっているため、つけ爪自体にバネ機能を有しており、装飾具に留めるために取付手段としてつけ爪にひびが入らない程度につけ爪自体のバネ機能を利用することもできる。
バネ部材だけでつけ爪を挟持する方法の場合は、挟持片がつけ爪側向きに「く」「（ 」「［ 」字形に凹んだ挟持部を設けておくことができる。挟持部にはつけ爪のガタツキ防止、摩擦力強化などのために弾力部材を設けることができる。
バネ部材はバネ性を有する板状、ピン状のもので形成され、ピン状または板状のものを機能し易いように変形させ装飾具、装身具に固定させることによりバネの機能を果させてもよい。
【００２９】
装飾枠に対する取付板またはピン状、板状の部材の固定方法は、ロウ付け以外にも接着剤による接着やカシメなど、通常の装飾具製造における取付手段を用いることができ、装飾枠と部材の相性に合わせて変更することができる。
バネの形状は板状であってもピン状であってもその他の幾何学形状であっても自由に設計できる。また素材にバネを持たせる構造としては外側から内側に反っていても、外側から内側へと巻き込むように湾曲としいてもよいし、通常の装飾具や機械装置などにおけるバネ機能を持たせる手段も適用できる。
つけ爪に当接する挟持片部を持つバネ、板バネの本数は一本でも複数本でも機能を果たすことができれば何本でも良い。
【００３０】
〔弾力部材〕
取付手段の全体または一部を弾性部材で構成することができる。弾性部材は、弾力的な変形性および復元性を有する材料である。宝飾具がつけ爪に当接したときに、相手の材料を傷つけない柔軟性のある材料が好ましい。具体的には、シリコン樹脂や塩化ビニル樹脂などの合成樹脂や弾性樹脂、合成ゴムなどが使用できる。
【００３１】
弾性部材は、前記した各種構造の取付部材のうち、宝飾具やつけ爪などに当接する個所に配置しておくことができる。当接個所は1個所でも良いし、複数箇所でも良い。
取付部材の骨組みを金属などの強度や剛性に優れた材料を用いて作製し、表面のみを弾性部材で構成しておくことができる。
弾性部材で取付手段そのものを構成することもできる。
【００３２】
具体的には、環状、筒状、あるいは孔あき容器状などをなす装飾枠の内側空間に、筒状あるいは環状などの周状をなす弾性部材を配置しておくことができる。このような周状の弾性部材を、宝飾具などつけ爪の外周に弾力的に嵌合させることで、装飾具全体をつけ爪などに取り付けることができる。
周状弾力部材に、宝飾具などへの操作を案内溝や、立爪支持材や宝石に係合される溝状や凹凸状の係合部を設けておくことができる。
【００３３】
取付手段の少なくとも一部に弾性部材を使用すれば、つけ爪の寸法形状の違いや宝飾具寸法形状にバラツキがあっても、弾力部材の変形によって寸法形状のバラツキを吸収することができる。
弾性部材として、表面に粘り気があったり、摩擦支持力の大きな材料を用いれば、つけ爪に対する装飾具の支持力を高めることができる。
弾性部材は、つけ爪を弾力的に締め付けることで、使用時における装飾具の脱落やずれを防ぐ機能もある。
【００３４】
弾性部材を装飾具に一体化させて固定する手段としては、単なる嵌合や凹凸による係合、接着、熱有着などの手段が採用できる。装飾具と弾性部材との接触面をヤスリなどで粗くしておけば、嵌合したときの摩擦支持力を高めることができる。装飾具の内部に弾力部材を配置したあと装飾具の一部をかしめることで固定することもできる。
【００３５】
合成樹脂からなる弾性部材を成形する際に、成形型に装飾枠を配置しておき、弾性部材の成形と同時に装飾枠と一体化させる方法も採用できる。この場合、装飾枠の内部に溝や凹凸を設けておけば、成形される弾性部材との一体化が高まる。
弾性部材を、装飾具あるいは取付部材に対して、着脱自在に取付けておくことができる。着脱自在な弾性部材は、使用中に弾性部材の老朽化や損傷が生じた場合に、容易に取り換えることが可能になる。 
【発明の効果】
【００３６】
ネイルアートの普及により増大したネイルアートをファッションとして楽しむ女性に、ネイルチップに穴を開け、ひもを通したようなファンシーグッズではなく、りっぱな宝飾品として新しいファッションアイテムを提供することができる。
また、ネイルアートをネイルサロンに行ってネイリストに描いてもらうだけでなく、個人で自分の爪に描いて楽しんでいる女性も多い。
【００３７】
宝飾具に対して着脱自在にしたことで、素人が自分で描いたネイルチップやネイリストに描いてもらったネイルチップを付け替えて楽しむことができるようになる。市販のネイルチップを使えば本発明の装飾具１個でペンダントが何十、何百とできることになる。
また、七宝焼きのペンダントやブローチは高価で買えなかった女性でも購入可能となる。 
【発明を実施するための最良の形態】
【００３８】
［スライド方式を採用した実施形態例］
図１〜図５に示す実施形態は、概略「∩」字形状の装飾具２０を示している。図１は実施形態の斜視図である。つけ爪１０の下の方に装飾具２０がなく開放されている。
図２と図３は装飾具２０の案内溝２１に導かれてつけ爪１０をスライド挿入させている途中を示している。ネイルアート５２が施された一般的なつけ爪１０に対して、つけ爪１０の側面に当接する装飾具２０の内周に概略「く」「（ 」「［ 」字形に凹んだ案内溝２１や挟持部３０１を有し、案内溝２１に導かれて矢印方向にスライド挿入することでつけ爪１０を着脱させる概略「∩」字形状の装飾具２０を示している。
【００３９】
図４で示しているように装飾具２０の側面断面は案内溝２１および／または挟持部３０１であり、概略「く」「（ 」「［ 」字形をなしており、つけ爪１０が上下に脱落することを防いでいる。
装飾具２０には宝飾部材である丸カン４０１、バチカン４０２が付いており、ネックレスのチェーンや携帯ストラップの紐を通すことができる。
宝飾部材である丸カン４０１、バチカン４０２は装飾具２０に対して溶接されていもよいし、カシメていてもよいし、一体成形になっていてもよい。
【００４０】
図５はつけ爪１０の一般的な側面形状を示している。つけ爪１０が爪に貼り付けるという構造のため側面がカーブ状になっている。つけ爪１０をテーブルに置いた場合、一般的につけ爪１０の側面はアーチ状に反った「∩」字形状をしており、つけ爪１０の側面の真ん中あたりは底辺であるテーブル面５１に対して浮いている。
【００４１】
図４の案内溝２１の幅２３をこの高さ２４（つけ爪１０の側面の底辺に対するつけ爪１０の側面の真ん中の高さ）よりも狭くすることによって、装飾具２０のつけ爪１０の側面を挟持するつけ爪１０の側面と同じアーチ状に反った形状腕部の長さを機能が果たす程度に確保しておけば、装飾具２０がチェーンを介して首に垂直に吊り下げられた状態でバネ機能や摩擦力が働き、人の手を介さない限り自然脱落することはない。
【００４２】
つけ爪１０自体はＡＢＳなどの合成樹脂を素材とする薄い「∩」爪状で軽量なため、つけ爪１０自体を装飾具２０に留めるための取付手段としてつけ爪１０にひびが入らない程度につけ爪１０自体の弾力性、柔軟性を利用でき、微量の摩擦力でも装飾具に固定することができ、ペンダントとして胸元で揺れてもつけ爪が装飾具２０から脱落することはない。
【００４３】
また概略「∩」字形状の装飾具２０の両腕の幅（正確には両腕の案内溝２１兼挟持部３０１のつけ爪１０に接するところの幅）がつけ爪１０の側面の幅に対して若干狭くすることよって、つけ爪１０や装飾具２０の形状を利用してのバネ性、弾力性を利用して留める方法や両腕の幅や案内溝２１の幅とつけ爪１０の側面の厚みをぴったりの長さにすることで摩擦力を利用して留める方法なども複合的に利用することでよりフィット感が生れ、確実に固定することができる。
この取付方法のメリットはつけ爪１０の着脱がシンプルであることである。
【００４４】
図６〜図１０に示す実施形態は、装飾具２０が概略「□」「０」字形の周形状をなし、前記つけ爪１０の側面のカーブに沿った容易にスライド挿入させるための案内溝２１機能と、つけ爪１０の右側面と左側面および／または表面と裏面を挟持するための前記案内溝機能を持った受け縁３０２を備えており、つけ爪１０に当接する部分の案内溝２１の断面がつけ爪１０に対して内側向きに概略「く」「（ 」「［ 」字形をなしている装飾具２０を示している。
【００４５】
図６はつけ爪１０を装着したときの実施形態の斜視図であり、図７はつけ爪１０を案内溝２１に沿って装着途中の実施形態の斜視図であり、図８は図７の裏側から見た斜視図であり、図９は実施形態の案内溝２１兼受け縁３０２の機能を示す断面図である、図１０は３Ｄアートを施したつけ爪１０を挿入中の装飾具２０の側面図である。
【００４６】
図９で示すように装飾具２０には概略「Ｕ」字形の案内溝２１機能を持った受け縁３０２が設けられている。つけ爪１０が案内溝２１をつけ爪１０の側面カーブに沿ってスライド挿入され、固定される。装飾具２０にはネイルアートされたつけ爪１０の表面が見えるように開口２２が設けられている。開口２２の形状は、装飾具２０本体同様自由に設定できるが、つけ爪１０に施された意匠が目立つように、つけ爪１０が開口２２から飛び出さず、なお且つ案内溝２１機能、受け縁３０２機能が働くぎりぎりの大きさが望ましい。
【００４７】
なお、受け縁３０２の形状については、つけ爪１０が逆台形の形状をしていれば受け縁３０２が「Ｕ」字形でなくても、装飾具２０左右側面にのみ案内溝２１機能を持った受け縁３０２であってもよい。
図１０で示すように案内溝の幅２３が装飾具２０のつけ爪１０挿入口では余裕があり、装飾具２０奥に行くにしたがって狭くなっている。このことにより３Ｄアートされたつけ爪を挿入可能となり、装飾具２０奥を狭くすることでつけ爪の位置決めがされ、装飾具２０開口部との隙間をなくすことができる。
【００４８】
装飾具２０にはペンダントとして使用するための宝飾部材としての丸カン、バチカンが付いている。またブローチにするにはブローチ用の宝飾部材を取付けることでブローチにもすることができる。
この実施形態のメリットは、つけ爪１０の周囲を装飾具２０で囲むことで額縁効果をもたらす点とシンプルな構造の為ネイルアートを楽しんでいる爪の長い女性でも容易に着脱できる点である。
【００４９】
図１１に示す実施形態は、図６〜図１０で示した実施形態が装飾具２０のバチカン方向（装飾具２０の頭側）に案内溝２１の入り口を設けてつけ爪１０を案内溝２１に沿ってスライド挿入させるのに対して、装飾具２０のお尻側に案内溝２１の入り口を設けてつけ爪１０を案内溝２１に沿ってスライド挿入させている。
装飾具２０の案内溝２１の奥の幅はつけ爪１０の先の幅より同等か若干狭くなっている。装飾具２０の案内溝２１につけ爪１０をスライドさせ、ぐっ〜と奥まで差し込み、装飾具２０につけ爪１０を食い込ませ固定させ、摩擦力の働きによって脱落することを防止している。
【００５０】
つけ爪１０自体はＡＢＳなどの合成樹脂を素材とする薄い「∩」爪状で軽量なため、つけ爪１０自体を装飾具に留めるための取付手段としてつけ爪１０にひびが入らない程度につけ爪自体の弾力性、柔軟性を利用でき、微量の摩擦力でも装飾具に固定することができ、ペンダントとして胸元で揺れてもつけ爪が装飾具２０から脱落することはない。
この実施例は、通常つけ爪１０は指の爪の形状のように先の方が幅が細くなっており、実際にペンダントにしたとき、つけ爪１０が台形の形状で見せた方が納まりが良く見せることができるというメリットがある。
【００５１】
［障子・襖(ふすま)方式を採用した実施例］
図１２、図１３に示す実施形態は、障子・襖(ふすま)などの建具を鴨居、敷居にはめる方法を採用している。障子・襖(ふすま)をつけ爪に見立て、鴨居、敷居を装飾枠に見立てた固定方法である。
図１２(ａ)はつけ爪１０の縦の長さに対して装飾具の挿入口が受け縁鴨居部３１６、受け縁敷居部３１７の出っ張りにより狭くなっていることを表わしている。図１２(ｂ)はつけ爪１０の挿入手順を示している。この手順は障子・襖(ふすま)などの建具をはめる手順と同じである。
矢印２５１の方向(下から上)につけ爪１０を装飾具２０の受け縁鴨居部３１６に挿入し、受け縁敷居部３１７を越した後、宝飾具２０に沿って矢印２５２の方向(上から下)にスライドさせる。
【００５２】
つけ爪１０を宝飾具２０の内部底に移動させることにより、つけ爪１０が装飾具２０後方に倒れても装飾具が脱落することはない。
図１３で示すように、宝飾具２０の内部底には丸カン４０１が配置されている。つけ爪１０を矢印２５２の方向(上から下)にスライドさせ宝飾具２０の内部底につけ爪１０のかまち部３１８が到達した際、つけ爪の位置決めやバタツキを防止する役割を果たしている。
図１３では、宝飾具２０の内部底に丸カン４０１を２つ設置しているが、数は1つでも複数でもかまわないし、宝飾具２０の内部天井側に設置していても良いし、宝飾具２０の内部天井側、内部底側両方に設置しても良い。
【００５３】
なおこの実施例では丸カン４０１を使用したが位置決め、バタツキを防止するための部材として、装飾具の受け縁敷居部３１７の溝を狭くしたり、宝飾具２０の内部底に突起や丸筒、円柱、弾性部材などを配置させてもよい。また、つけ爪表面自体が弓状に反っており装飾具２０の開口が同じカーブをしていれば容易に上下運動することはない。
【００５４】
［バネ方式を採用した実施例］
図１４〜図１８に示す実施形態は、つけ爪１０を周形状に囲い込む装飾具２０である。図１４は実施形態の斜視図であり、図１５は実施形態の側面断面図である。
装飾具の形状は装飾具２０につけ爪１０が固定されている状態では図６が示すようにつけ爪１０の外形に沿った概略「口」「０」字形の周形状をしており、つけ爪１０が固定されていない状態では図１５が示すように概略「口」「０」字形の周形状の一箇所が切断されたような形状で、バネ機能で左右に開いた形状をしている。
【００５５】
図１６が示すように、つけ爪１０の上下側面または左右側面を挟持するためのバネ機能を備えており、周形状の一箇所を切断されたような形状で、バネ機能で左右に若干開いており、つけ爪を挿入後切断されたような形状の箇所をぴったりと合せ、取付手段であるネジ３０５とネジ式キャップ３０６を用いて固定させる。
図１６が示すように、周形状の一箇所が切断されたような形状の開きは、つけ爪１０の表面の横幅ほど開かなくてもよい。図１７で示しているようにつけ爪１０が左右の受け縁３０２を通過させる幅だけ開いていればよい。
【００５６】
図１７、図１８で示すように、つけ爪１０の側面に当接する装飾具２０の形状は概略「［ ］字形になっており、切断されたような形状の面以外の３面には概略「く」「（ 」「［ 」になるように受け縁３０２が設けられている。受け縁３０２のつけ爪１０の内側に向かって長さを短くするか、宝飾部材であるバチカン４０２と反対側の方に左右の受け縁３０２を設定すればバネ性が少ない装飾具２０の素材でも使用可能となる。
【００５７】
図１９の実施形態は図１１の装飾具の形状に板バネ３１５を設けた形状をしている。装飾具２０の板バネ３１５がつけ爪１０を案内溝２１に沿ってスライドさせたとき、つけ爪によって装飾具の後方へ押されて板バネ３１５にバネ機能が発生し、つけ爪１０の先が装飾具２０の奥まで達したとき、装飾具２０に備わっている案内溝２１兼受け縁３０２と板バネ３１５とでつけ爪１０を挟み固定し、摩擦力の働きによって脱落することを防止している。
装飾具２０の板バネ３１５は装飾具２０と一体成形させていてもよいし、溶接やカシメにより固定されていてもよい。
【００５８】
［バネ部材使用の実施例］
図２０と図２１は、取付手段としての板バネ３１５を使用し、つけ爪１０を固定する実施形態を示している。図２０（ａ）は実施形態の表面図であり、（ｂ）は裏面図である。図２１はバネ部材の設置図である。
図２０（ａ）が示すように取付手段としての板バネ３１５がつけ爪１０の前後側面と装飾具２０の内周側面の間に配置されている。つけ爪１０を装飾具２０に挿入する際にはどちらかの板バネ３１５を押すことでつけ爪１０が収まるスペースができる。
【００５９】
図２１（ａ）で示すように取付手段としての板バネ３１５に施した小さな開口２２はつけ爪１０の脱落を防止する働きをしている。板バネ３１５の固定の仕方は板バネ３１５の端側に装飾具２０と接する面の反対側に装飾具２０と一体化した二本のピン３１４と装飾具２０の間に取付手段としての板バネ３１５を収納する。板バネ３１５が配置された後、ピン３１４をカシメて板バネ３１５が脱落しないようにしている。
【００６０】
なおこの板バネ３１５の固定の仕方以外にも装飾具２０とピン３１４を一体化させずに、ピン３１４が立ちやすいように装飾具２０側に円筒の台座を設けて板バネ３１５を装飾具２０に当接後、「「」字状のピン３１４を円筒内に接着剤を塗った台座に挿入し固定したりしてもよい。
また、図２１（ｂ）のようにクリップ形状の板バネ３１５を宝飾具２０内部の壁に垂直に固定させても同様の効果が得られる。この際つけ爪１０がすべり落ちないようにクリップ状の板バネ３１５につけ爪１０が安定するためのくぼみを設けることが望ましい。
板バネ３１５の構造が露出しないようにつけ爪１０の脱落が邪魔にならない程度に板バネ３１５の露出側に板を貼り合わせてもよい。
この実施形態のメリットは装飾具表面に切り込みがなく見た目も良く、指の爪を傷めることなくつけ爪を着脱できる点である。
【００６１】
図２２、図２３は、宝飾具本体がピンバネ３１５で形成されている実施例である。図（ａ）ピンバネ３１５が効いてつけ爪１０を狭持している状態を示している。図（ｂ）は図（ａ）の正面図であり、図（ｃ）は図（ａ）の背面図である。図２３はつけ爪１０を固定する手順を示している。
図２３で示すように、棒状のピンを一回ひねることでバネの機能を持たせたピンバネ３１５には両端につけ爪１０を狭持するための狭持片３０２を装備している。つけ爪１０の上方部を狭持する側には宝飾部材である丸カン４０１、バチカン４０２が付いている。
【００６２】
宝飾具２０につけ爪１０を狭持せず手１２に触れない状態では、つけ爪１０を狭持した時の状態である。宝飾具２０を上下に引っ張ることでピンバネ３１５が伸びてつけ爪１０を挟み込むだけの長さが得られ、つけ爪１０の上下縁に両方の狭持片３０２を噛ませてから手１２を離すせば、伸びたピンバネ３１５が元の形状に戻りつけ爪１０を固定させる。
【００６３】
図２４は、宝飾具本体がピンバネ３１５で形成されている実施例である。図（ａ）ピンバネ３１５が効いてつけ爪１０を狭持している状態を示している。図（ｂ）と図（ｃ）宝飾具本体をばらしたときのパーツしめしており、図（ｄ）は図（ｂ）と図（ｃ）を一体化させた状態を示している。
図２４（ｂ）に示すように宝飾具２０は長方形の筒状になっており、内部側面にはのこぎりのようなギザギザが施されている。これは図（ｃ）のピンバネ３１５がすべり落ちない為のものである。図２４（ｂ）の宝飾具本体パーツ２０である筒にはつけ爪１０を狭持するための狭持片３０２と宝飾部材である丸カン４０１、バチカン４０２が配置されている。
【００６４】
図２４（ｃ）の宝飾具本体パーツであるピンバネ３１５の両端の先端には外側に小さな突起が付いている。これは図２４（ｂ）の宝飾具２０の長方形の筒状の内部側面ののこぎりの刃ようなギザギザに食い込ませすべり落ちない為のものである。また宝飾具本体パーツであるピンバネ３１５にはつけ爪１０を狭持するための狭持片３０２が配置されている。
図２４（ｄ）示すように宝飾具２０の筒の中にピンバネ３１５を挿入しつけ爪を置いた状態で図２４（ａ）のようにつけ爪１０が固定されるところまで上方へ押し込んでいく。
図２４では長方形の筒を採用したが、筒状内部側面ののこぎりの刃のようなギザギザの代わりに複数の半球状のくぼみにすれば、宝飾具２０の形状は概略「コ」字でもピンバネ３１５が脱落することはない。
この実施例のメリットは親指用〜小指用まで縦の長さが違うつけ爪でも対応できるところである。
【００６５】
図２５の実施形態の装飾具は、図１１の装飾具２０のつけ爪挿入口２８の形状に対して、縦に狭くに横に広い形状をしている。つけ爪１０本来の持つ弾力性、バネ性を用いてつけ爪１０が装飾具２０の奥まで入ったとき、つけ爪１０が元に戻ろうとする力で装飾具２０を突っ張ることで固定され、摩擦力の働きによって脱落を防止している。
【００６６】
図２５の（ａ）で示すように装飾具２０にスライド挿入したつけ爪１０を開口から親指で押すと、つけ爪１０が（ｃ）のように変形することを示している。装飾具２０内の幅の容量がつけ爪１０の横幅より大きく作られているため（ｃ）のように横に広がることができる。（ｂ）で示すようにつけ爪１０が戻ろうとして装飾具２０を突っ張ることで固定されている。（ｃ）で示すように通常つけ爪１０はＡＢＳなどの合成樹脂を素材とする薄い「∩」爪状になっているため、つけ爪１０自体を装飾具２０に留めるための取付手段としてつけ爪１０にひびが入らない程度につけ爪１０自体に弾力性、柔軟性があり、（ｄ）で示すように指で押すのをやめるとまた元の形状に戻る。
なおつけ爪１０を押しながら挿入することには、つけ爪１０に施した３Ｄのデザインをつけ爪挿入口２８を通過させることができるメリットがある。
【００６７】
図２６、図２７は図２５同様つけ爪１０自体の弾力性、柔軟性を利用した実施形態である。
図２６（ａ）はつけ爪を親指１２と人差し指１２で挟み、力を加えることでつけ爪が弓のようにしなり、つけ爪１０自体の弾力性、柔軟性があることを示している。図２６（ｂ）は宝飾具２０につけ爪１０を着脱させるときの方法を示している。
図２７はつけ爪１０が宝飾具２０に装着されている状態を示しており、（ａ）は実施形態の側面断面図であり、（ｂ）は実施形態の正面図であり、（ｃ）は実施形態の背面図である。
【００６８】
図２６（ｂ）で示しているように宝飾具２０には宝飾部材である丸カン４０１、バチカン４０２が配置されている。宝飾具２０本体の両端にはそれぞれつけ爪１０を狭持するための狭持片３０２が配置されている。つけ爪１０を両手の親指１２と人差し指１２で挟み矢印方向２５１の方向に力を入れることで図２６（ａ）のようにつけ爪１０がしなり宝飾具２０の狭持部３０２間の長さに対してつけ爪１０の縦の長さが短くなり宝飾具２０の狭持部３０２を超えて、力を抜くことで狭持部３０２の溝にはまり固定される。
【００６９】
［蝶番方式を採用した実施形態例］
図２８〜図３０に取付手段として蝶番方式を採用した実施形態例である。図２８はつけ爪１０を装飾具２０に固定したときの斜視図であり、図３４は実施形態のつけ爪１０を固定する作業途中の断面図であり、図３０は蝶番方式を採用した実施形態の分解である。
【００７０】
図３０が示すように、つけ爪１０の外形に沿った概略「口」「０」字形の周形状を成した装飾具２０がつけ爪１０の表裏を挟み込む二層構造になっており、つけ爪１０の表面の一部を露出させる開口２２と、開口２２の内周に突出して上方側からつけ爪１０に当接し、つけ爪１０の周囲を囲む押え縁側装飾具３０３と、つけ爪１０に裏方側から当接して、つけ爪１０の押え縁側装飾具３０３との間につけ爪１０を挟み込み固定する受け縁側装飾具３０４を取付手段である蝶番３１０とフック（カギ機能突起部３１１とカギ機能突起受け部３１２）を使用して一体化させる構造になっている。
【００７１】
押え縁側装飾具３０３の蝶番３１０側対面には取付手段としてのカギ機能突起受け部３１２が配置され、受け縁側装飾具３０４の蝶番側の対面には取付手段としてのカギ機能突起受け部３１２の相方であるカギ機能突起部３１１が配置され、つけ爪１０を固定する。
この蝶番３１０は通常取付手段として用いられるごく一般的な蝶番で、押え縁側装飾具３０３と受け縁側装飾具３０４には概略「凹」「凸」の蝶番３１０のパーツが付いておりピン３１０を通してからピン３１０を固定して押え縁側装飾具３０３と受け縁側装飾具３０４を一体化している。
カギ機能突起部３１１とカギ機能突起受け部３１２の配置は図２９で示している実施形態の逆であってもよい。
【００７２】
装飾具２０本体には宝飾部材であるバチカン４０２が採用されている。バチカン４０２は押え縁側装飾具３０３側に固定されていてもよいし、受け縁側装飾具３０４側に配置されていてもよい。また、蝶番３１０を軸に両装飾具２０（押え縁側装飾具３０３と受け縁側装飾具３０４）が取付手段であるカギ機能突起部３１１とカギ機能突起受け部３１２で固定された際に環状部材となりバチカン４０２の機能を果たしてもよい。
宝飾部材であるバチカン４０２は最初から一体型で造られていても、後から装飾具２０本体に接合してもよい。
【００７３】
受け縁側装飾具３０４には光を取り込むための開口２２を設けられている。これはクリアなつけ爪１０を使用した場合に有効である。開口２２にデザインなどを施してもよい。
この実施形態のメリットはアートされたつけ爪１０を額縁付き絵画のように見せることができる点である。
【００７４】
［ネジ止め方式を採用した実施形態］
図３１、図３２に示す実施形態は、ネジ止め方式を採用した実施形態である。図３１は実施形態の側面断面図とその取付方法を示しており、図３２は実施形態の表面図（ａ）と裏面図（ｂ）を示している。
図３１（ａ）（ｂ）（ｃ）で示すようにつけ爪１０の外形に沿った概略「口」「０」字形の周形状を成した押え縁側装飾具３０３と同じくつけ爪１０の外形に沿った概略「口」「０」字形の周形状を成した受け縁装飾具３０４がつけ爪１０の表裏を挟み込む二層構造となっている。
【００７５】
図３１（ａ）は取付手段としてネジ３０５を用いた実施形態の側面断面図である。図３１で示すように縁側装飾具３０３と受け縁装飾具３０４には取付手段としてのネジ３０５を挿入するためのネジ式案内溝を持った穴３０６が開けられており、つけ爪１０を押え縁側装飾具３０３と受け縁装飾具３０４との間に挟み、取付手段３０としてのネジ３０５で固定されている。
図３０（ａ）が示すように押え縁側装飾具３０３には宝飾品５０であるダイヤモンドが埋め込まれている開口２２の大きさがつけ爪１０の表面積より小さいため、つけ爪１０の表面が押え縁側装飾具３０３から飛び出していても取れることはない。
【００７６】
取付手段であるネジ３０５およびネジ穴３０６の数は１個でも止まるが２個以上が望ましい。
図３２（ｂ）が示すように受け縁装飾具３０４には取付手段としてのネジ３０５の数だけ取付手段としてのネジ穴３０６が設けられている。ネジ穴３０６は受け縁装飾具３０４の裏面を貫通していてもしていなくてもよい。
受け縁装飾具３０４には明かりを取り込むための開口２２を設けることもできる。これはクリアなつけ爪１０を使用した場合に有効である。
【００７７】
受け縁装飾具３０４には宝飾部材であるバチカン４０２が設定されている。受け縁装飾具３０４製造時に一体化させてもよいし、別々に製造してから接合してもよい。また宝飾部材であるバチカン４０２は受け縁装飾具３０４ではなく押え縁側装飾具３０３を設置してもよい。
この実施形態のメリットはセッティング時に指の爪を傷めることがなく、アートされたつけ爪１０を額縁付き絵画のように見せることができる点である。
【００７８】
［ネジ方式を採用した実施形態例］
図３３〜図３７に示す実施形態は、概略「く」「（ 」「［ 」字形に凹んだ挟持部３０１を保有したピン状または板状の二つの装飾具２０につけ爪１０の側面の前後または左右を挟み込み、取付部材である図３７（ｂ）（ｃ）を介して一体化させ、装飾具２０の一方には宝飾部材であるバチカン４０２が付いている装飾具２０を示している。図３３はその実施形態の斜面図である。
図３４はその実施形態の裏面図である。つけ爪１０を装飾具２０に挟持し固定されている。図３５はネジ機能を有した取付手段である図３７（ｂ）（ｃ）を用いて挟持する途中の側面断面図（ａ）ときっちり固定された状態の側面断面図（ｂ）を示している。
【００７９】
図３６が示すように、ストッパーの付いた円柱状の細いピン３０９を軸にスルーして回転する取付手段であるネジ機能の片方を持った円筒３０７をストッパーの付いた円柱状の細いピン３０９に通した後、図３７（ａ）のつけ爪１０を固定するための挟持部３０１に溶接やカシメによって固定させた装飾具２０の片方である図３７（ｃ）と円柱状の細い軸にネジ機能のもう片方とが一体化されたピン３０８に宝飾部材４０のバチカン４０２がつけ爪１０を固定するためのもう片方の挟持部３０１を持つ別の装飾具２０である。
【００８０】
図３７（ｂ）を相手側図３７（ａ）のネジ機能付き円筒３０７に挿入し、ネジ機能付き円筒３０７を回転させることで両挟持部３０１の距離を縮めて行き、つけ爪１０の前後を挟んでネジ機能付き円筒３０７が回転できなくなるまで回してつけ爪１０を固定する。
図３６の取付手段である円筒３０７にはストッパーの付いた円柱状の細いピン３０９が通り抜けないようにピン３０９より大きく、ストッパーより小さい丸い穴の開いた壁が円筒３０７の一方に施されている。
【００８１】
つけ爪１０が左右にシイソウのようにバタバタしないだけの案内溝２１の幅や挟持部３０１の長さを有している。また挟持部３０１の内側には図３９のように弾性部材２７を設けることもできる。
宝飾部材のバチカン４０２は最初から装飾具２０と一体成形させていてもよいし、溶接やカシメにより固定されていてもよい。
この取付手段を用いるメリットは、個人の爪に合うように加工された使用済みのつけ爪を使うことができる点である。
【００８２】
［引っ掛け溝を採用した実施形態］
図３８（ａ）は実施形態の分解断面図であり、（ｂ）はつけ爪１０を装飾具２０をつけ爪１０に固定した状態の側面断面図である。図２８〜図３０で示した取付手段としての蝶番の代わりに押え縁側装飾具３０３に取付手段として引っ掛け溝３１２を配置し、受け縁側装飾具３０４に取付手段として突起３１１を配置し、図１４〜図１８で示した取付手段としてのネジ３０５とネジ式キャップ３０６を配置した。 
装飾具２０はつけ爪１０の外形に沿った概略「口」「０」字形の周形状をしている。
【００８３】
押え側装飾具３０３の取付手段である引っ掛け溝３１２と受け縁装飾具３０４の取付手段３０である突起３１１双方の対面には、つけ爪１０を挟みこんで押え縁側装飾具３０３と受け縁側装飾具３０４が一体化したとき取付手段としてのネジ３０５になるようそれぞれ半分ずつ配置されている。つけ爪１０を挟み込み、押え縁側装飾具３０３と受け縁側装飾具３０４を一体化させた後、装飾部材であるバチカン４０２に接合させた取付手段としてのネジ式キャップ３０６を装飾具２０に対して回転しながら挿入し固定する。
この実施形態のメリットは蝶番を使わない分製作工程が簡単であるだけでなく、装飾具表面が切断されていないので意匠的にも優れている。
【００８４】
［弾性部材使用の実施例］
図３９に示す実施形態は、装飾具に対してつけ爪１０がバタつくことなく固定するために装飾具２０とつけ爪１０の間に弾力部材２７を施した実施例である。
弾力部材２７は図１〜図３８で示した実施形態の装飾具の案内溝２１や挟持部３０１に施すことができる。
【００８５】
［ネイルアート部材使用の実施例］
図４０〜図４３は、通常ネイルアートで用いられている接着部材３１３を使用した実施形態である。
図４０は実施形態の斜視図である。見ての通りこの角度からは装飾具２０本体がつけ爪１０より小さいため見えていない。図４１は実施形態の背面断面図であり、図４２は実施形態の背面断面図である。見ての通り装飾具のつけ爪１０側表面には側面、背面ともにつけ爪１０と同じ概略「∩」状に凸カーブしている。図４３はつけ爪１０、装飾具２０に対する取付手段である接着部材３１３の位置関係を示している。
【００８６】
図４０〜図４３が示すように装飾具２０の表面が、つけ爪１０と装飾具２０を貼り合わせる為の取付手段３０である接着部材３１３を介して物理的に固定可能な一部または一面がフィットするつけ爪１０の裏面と同じカーブ形状、凸形状の面を有する装飾具２０で、ネイルアート用接着剤３１３または両面テープ３１３を介してつけ爪１０の裏面と装飾具２０の表面を一体化させている。
【００８７】
取付手段としてのネイルアート用接着剤および／または両面テープは指の爪につけ爪１０を貼り合わせるときのもっともポピュラーなネイルアート手法である。装飾具２０の裏面も表面と同じ形状を成せば、二つのシーンに対応させることができる。
【図面の簡単な説明】
【００８８】
【図１】本発明の実施形態を表すつけ爪への取付状態を示す斜視図
【図２】図１の取付途中の垂直断面図
【図３】図１の取付途中の正面図
【図４】図１の背面垂直断面図
【図５】つけ爪の側面図
【図６】別の実施形態。つけ爪を装着したときの実施形態の斜視図
【図７】図６のつけ爪を案内溝に沿って装着途中の実施形態の斜視図
【図８】図７の裏側から見た斜視図であり
【図９】実施形態の案内溝兼受け縁の機能を示す断面図
【図１０】３Ｄアートを施したつけ爪を挿入中の装飾具の側面図
【図１１】別の実施形態。装飾具の後方からつけ爪をスライド挿入するときの実施形態の斜視図
【図１２】別の実施形態。障子・襖(ふすま)方式を採用した実施形態の背面図（ａ）とつけ爪の挿入方法を示す正面図と裏面図（ｂ）
【図１３】図１２の取付部材の配置状態を示す斜視図
【図１４】別の実施形態。つけ爪への取付状態を示す斜視図
【図１５】図１４の取付途中の垂直断面図
【図１６】図１４の取付途中の正面図
【図１７】図１４の裏面図
【図１８】図１４の背面垂直断面図
【図１９】別の実施形態。図１１にバネ機能を付加したときの実施形態の斜視図
【図２０】バネ部材を使用した実施形態。つけ爪への取付状態を示す正面図（ａ）と裏面図（ｂ）
【図２１】図２０のバネ部材の配置状態を示す斜視図
【図２２】別の実施形態。ピンバネを使用した実施形態の側面断面図（ａ）と正面図（ｂ）と背面図（ｃ）
【図２３】図２２の着脱方法を示す側面断面図
【図２４】別の実施形態。ピンバネを使用した実施形態の正面図（ａ）と宝飾具パーツ側面断面図（ｂ）（ｃ）と宝飾具パーツ組み立て完成状態の正面図（ｄ）
【図２５】図１１の装飾具形状につけ爪の弾力性を付加したときの実施形態。
【図２６】別の実施形態。つけ爪の弾力性を示した側面断面図（ａ）とつけ爪の着脱方法を示した背面図（ｂ）
【図２７】図２６のつけ爪の弾力性を利用したときの実施形態の側面断面図（ａ）と正面図（ｂ）と背面図（ｃ）
【図２８】別の実施形態を表すつけ爪への取付状態を示す斜視図
【図２９】図２８の取付途中を示す垂直断面図
【図３０】図２８の取付方法を示す実施形態の分解図
【図３１】別の実施形態。つけ爪の取付状態を示す正面図（ａ）と裏面図（ｂ）
【図３２】図３１の実施形態。つけ爪への取付状態を示す側面断面図（ａ）と実施形態の分解図（ｂ）（ｃ）（ｄ）
【図３３】別の実施形態。つけ爪への取付状態を示す斜視図
【図３４】図３３の裏面図
【図３５】図３３の取付途中を示す垂直断面図（ａ）と取付状態を示す垂直断面図（ｂ）
【図３６】図３３の使用部材
【図３７】図３３の使用部材
【図３８】別の実施形態。つけ爪への取付状態を示す側面断面図（ａ）と取付状態を示す側面断面図（ｂ）
【図３９】弾性部材を使用した実施形態。つけ爪への取付状態を示す背面垂直断面図
【図４０】別の実施形態。つけ爪への取付状態を示す斜視図
【図４１】図４０の垂直断面図
【図４２】図４０の背面垂直断面図
【図４３】図４０の裏面図
【符号の説明】
【００８９】
１０    つけ爪
１１    挿入途中のつけ爪
１２    親指
２０    装飾具
２１    案内溝
２２    開口
２３    案内溝の幅
２４    つけ爪側面のカーブの高さ
２５    移動方向
２５１  移動方向
２５２  移動方向
２６    回転方向
２７    弾力部材
２８    つけ爪挿入口
３０１  挟持部
３０２  受け縁
３０３  押え縁側装飾具
３０４  受け縁側装飾具
３０５  ネジ部またはネジパーツ
３０６  ネジ穴部またはネジ穴パーツ
３０７  ネジ穴機能付き円筒
３０８  ネジ付きピン
３０９  ネジ穴機能付き円筒脱落防止機能付きピン
３１０  蝶番パーツ
３１１  カギ機能突起部
３１２  カギ機能突起受け部
３１３  両面テープおよび／またはつけ爪用接着剤
３１４  バネ板固定用支柱
３１５  板バネ、ピンバネ
３１６  受け縁鴨居部
３１７  受け縁敷居部
３１８  つけ爪かまち部
４０１  丸カン
４０２  バチカン
５０    宝飾品
５１    テーブル
５２    ネイルアートの技法および／またはネイルアートに使用される材料を用いたデザイン（意匠）
【図１】
2005288053.tif 000003
【図２】
2005288053.tif 000004
【図３】
2005288053.tif 000005
【図４】
2005288053.tif 000006
【図５】
2005288053.tif 000007
【図６】
2005288053.tif 000008
【図７】
2005288053.tif 000009
【図８】
2005288053.tif 000010
【図９】
2005288053.tif 000011
【図１０】
2005288053.tif 000012
【図１１】
2005288053.tif 000013
【図１２】
2005288053.tif 000014
【図１３】
2005288053.tif 000015
【図１４】
2005288053.tif 000016
【図１５】
2005288053.tif 000017
【図１６】
2005288053.tif 000018
【図１７】
2005288053.tif 000019
【図１８】
2005288053.tif 000020
【図１９】
2005288053.tif 000021
【図２０】
2005288053.tif 000022
【図２１】
2005288053.tif 000023
【図２２】
2005288053.tif 000024
【図２３】
2005288053.tif 000025
【図２４】
2005288053.tif 000026
【図２５】
2005288053.tif 000027
【図２６】
2005288053.tif 000028
【図２７】
2005288053.tif 000029
【図２８】
2005288053.tif 000030
【図２９】
2005288053.tif 000031
【図３０】
2005288053.tif 000032
【図３１】
2005288053.tif 000033
【図３２】
2005288053.tif 000034
【図３３】
2005288053.tif 000035
【図３４】
2005288053.tif 000036
【図３５】
2005288053.tif 000037
【図３６】
2005288053.tif 000038
【図３７】
2005288053.tif 000039
【図３８】
2005288053.tif 000040
【図３９】
2005288053.tif 000041
【図４０】
2005288053.tif 000042
【図４１】
2005288053.tif 000043
【図４２】
2005288053.tif 000044
【図４３】
2005288053.tif 000045